(57)【要約】【課題】  体感の程度を調整するために電圧等を一定に保ちつつ周波数を変化させることで実現する美容器とその制御方法を提供すること。【解決手段】  使用者の肌面に対して交流電流を印加する美容器１であって、２以上の電極を備えて電極間に交流電流を印加する電極部３１と、交流電流の周波数を３段階以上の多段階又は無段階で設定する周波数設定部３４と、使用者の体感の程度を調整する感度調整部３２と、設定された周波数を出力する交流電流発生部３５とを備え、感度調整部３２の調整に基づいて周波数設定部３５が周波数を設定することにより感度の調整を行うようにした美容器１を提供する。【選択図】 図４
2020156558.tif 000002
【特許請求の範囲】
【請求項１】
使用者の肌面に対して交流電流を印加する美容器であって、
２以上の電極を備えて該電極間に交流電流を印加する電極部と、
交流電流の周波数を３段階以上の多段階又は無段階で設定する周波数設定部と、
使用者の体感の程度を調整する感度調整部と、
設定された該周波数を出力する交流電流発生部とを備え、
該感度調整部の調整に基づいて該周波数設定部が周波数を設定することにより感度の調整を行うようにした
ことを特徴とする美容器。
【請求項２】
前記周波数が、少なくとも７０ｋＨｚないし３００ｋＨｚの範囲を含む
請求項１に記載の美容器。
【請求項３】
前記感度調整部が、使用者が任意に調整可能な調整手段を備えた
請求項１又は２に記載の美容器。
【請求項４】
前記美容器において、
使用者の肌面の抵抗値を測定する抵抗値測定部を備え、
前記周波数設定部が、前記感度調整部の調整と該抵抗値に応じて所定の規則に従って調整するか、又は、
前記感度調整部を備えずに、前記周波数設定部が、該抵抗値に応じて所定の規則に従って調整するか、の少なくともいずれかの構成である
請求項１ないし３のいずれかに記載の美容器。
【請求項５】
前記美容器において、
さらに肌面を加温するヒーターを備えた
請求項１ないし４のいずれかに記載の美容器。
【請求項６】
使用者の肌面に対して交流電流を印加する美容器の制御方法であって、
電圧又は電流を略一定に保ちながら交流電流の周波数を３段階以上の多段階又は無段階で設定し、設定された該周波数の交流電流を電極部から印加することにより使用者の体感の程度を調整する
ことを特徴とする美容器の制御方法。
【発明の詳細な説明】
【技術分野】
【０００１】
本発明は、交流電流を印加して使用者の肌面に対して電気刺激を与える美容器に関し、特に体感の程度に係る制御方法に係る。
【背景技術】
【０００２】
従来から所定の周波数の電流を印加する美容器が知られている。ＥＭＳ（Electrical Muscle Stimulation）と呼ばれる電気的筋肉刺激を与える美容器や、さらに高い周波数帯を用いて温熱効果を与え、肌のハリ、弾力を高めるＲＦ美容器が提供されている。ＥＭＳでは数Ｈｚから数ｋＨｚの周波数で電気刺激を肌に与えることで筋収縮を起こして筋肉運動をさせ、たるみを改善させることができる。また、ＲＦでは数百ｋＨｚ以上の高周波を用いて肌の内部を温め、シワ・ハリの改善を図ることができる。
【０００３】
特許文献１には、高周波美容処理装置において、肌が局所的に熱を持ってしまうことを防止することができる技術が提案されている。本文献では、高周波美容処理装置が、携帯可能な筐体と、前記筐体の先端部に互いに所定の間隔を開けて配置された、被施術者の肌に当接する施術面を有する並行電極と、前記筐体に内蔵され、前記一対の並行電極に高周波電流を供給する第１の電源部とを具備する構成が開示されている。
【０００４】
特許文献２には、利用者に過度の痛みを感じさせること無く大きな電流を利用者の体内に搬送することができる筋肉トレーニング装置が提案されている。本装置では、制御部は操作部経由で利用者からの電気刺激信号、すなわち電流値の大きさを入力されて電気刺激信号の増大の指示を受け、記憶部をアクセスして電流周波数相関データを参照し、利用者の指定した電気刺激信号の大きさに対応する周波数を得て、当該電気刺激信号の大きさと周波数とを電気刺激出力部へ出力する。電気刺激出力部は制御部からデータを入力し、電気刺激信号を生成して各導子に出力する構成が開示されている。
【０００５】
特許文献３には、人体患部での干渉波の発生位置の深さを調節して満足のいく通電治療ができる干渉低周波治療器が提案されている。この干渉低周波治療器において、制御部は周波数設定機能を備え、二つの中周波電流の周波数の任意な変更により人体局部における干渉波発生位置の深さを変えることができる、としている。
【０００６】
従来技術においても周波数を可変することは知られているが、その目的は電気刺激を与える相対的に低い周波数帯と、温熱効果を与える相対的に高い周波数帯とを切り換えることで、異なる美容効果を実現するためであった。
【０００７】
また、特許文献２は電気刺激信号と周波数を正比例させることなどが開示されているが、使用する周波数として数Ｈｚから数ｋＨｚの範囲であり、技術的にも高い周波数に対応することはできない。電気刺激信号の大きさは電流値であり、周波数だけで調整するものではなく、また電流値を調整する必要もある。
【０００８】
特許文献３は２つの中周波電流を任意に設定して干渉波発生位置の深さを変えるために、周波数の設定ツマミと共に強さ設定ツマミを備えており、強さは干渉波搬送波電流の大きさで調整する構成である。従って、周波数により強さを調整するものではなく、複雑な構成を必要としている。
【先行技術文献】
【特許文献】
【０００９】
【特許文献１】特許第6212608号
【特許文献２】特許第4057558号
【特許文献３】特開平８−１１２３６２号公報
【発明の概要】
【発明が解決しようとする課題】
【００１０】
電気付加型の美容器において体感を調整するためには電圧や電流による調整を行うことが従来の技術であるが、電圧等を上げるとピリピリした刺激が増して不快感を与え、継続使用ができずに良い効果が得られなかったり、敏感肌の使用者が使用できないといった問題がある。
【００１１】
本発明は上記従来技術の有する問題に鑑みて創出されたものであり、体感の程度を調整するために電圧等を一定に保ちつつ周波数を変化させることで実現する美容器とその制御方法を提供することを目的とする。
【課題を解決するための手段】
【００１２】
上記課題を解決するため、本発明は次のような美容器を提供する。
すなわち、本発明の第１の実施形態によれば、使用者の肌面に対して交流電流を印加する美容器であって、２以上の電極を備えて電極間に交流電流を印加する電極部と、交流電流の周波数を３段階以上の多段階又は無段階で設定する周波数設定部と、使用者の体感の程度を調整する感度調整部と、設定された周波数を出力する交流電流発生部とを備え、感度調整部の調整に基づいて周波数設定部が周波数を設定することにより感度の調整を行うようにした美容器を提供する。
【００１３】
本発明の第２の実施形態によれば、上記の周波数が、少なくとも７０ｋＨｚないし３００ｋＨｚの範囲を含む美容器を提供することができる。
【００１４】
本発明の第３の実施形態によれば、上記の感度調整部が、使用者が任意に調整可能な調整手段を備えた美容器を提供することができる。
【００１５】
本発明の第４の実施形態によれば、上記の美容器において、使用者の肌面の抵抗値を測定する抵抗値測定部を備え、上記の周波数設定部が、感度調整部の調整と抵抗値に応じて所定の規則に従って調整するか、又は、感度調整部を備えずに、上記の周波数設定部が、抵抗値に応じて所定の規則に従って調整するか、の少なくともいずれかの構成である美容器を提供することができる。
【００１６】
本発明の第５の実施形態によれば、上記の美容器において、さらに肌面を加温するヒーターを備えた美容器を提供することができる。
【００１７】
本発明の第６の実施形態によれば、使用者の肌面に対して交流電流を印加する美容器の制御方法であって、電圧又は電流を略一定に保ちながら交流電流の周波数を３段階以上の多段階又は無段階で設定し、設定された周波数の交流電流を電極部から印加することにより使用者の体感の程度を調整することを特徴とする美容器の制御方法を提供することができる。
【発明の効果】
【００１８】
本発明によれば、電圧等を一定に保ちつつ周波数を変化させることによって体感の程度を調整することができるので、肌が敏感な使用者においても最適な強さの電気刺激を与えることができる。これにより、有効な筋肉運動をさせ、たるみを改善にも寄与する。
【図面の簡単な説明】
【００１９】
【図１】本発明に係る美容器の斜視図。
【図２】本発明に係る美容器の正面図。
【図３】本発明に係る美容器の制御方法の説明図。
【図４】本発明に係る美容器の構成図。
【図５】本発明の別実施例に係る美容器の構成図。
【発明を実施するための形態】
【００２０】
以下、本発明の実施形態を、図面に示す実施例を基に説明する。なお、実施形態は下記に限定されるものではない。
図１及び図２は本発明に係る美容器（１）の斜視図及び正面図である。美容器（１）は使用者が手で把持する本体部（１０）と電極を備えたヘッド部（１１）とから構成される。本体部（１０）には体感の程度を調整するためのレベルスイッチ（１２）、電源の入り切りやモードを切り換えるための電源スイッチ（１３）、本体の状態を示すインジケータ（１４）などを備えている。
【００２１】
本体部（１０）には、充電池を備えて底面に備えた給電端子からの給電により充電したり、給電して使用することができるが、充電機能の有無や給電の方法は問わない。
【００２２】
ヘッド部（１１）には、環状の２つの電極部（２０）（２１）を備えており、使用者がヘッド部（１１）を肌面に当接させ、中央の電極部（２０）と外郭の電極部（２１）との間に交流電流を印加することによって電気刺激などの美容効果を奏することができる。
また、本発明では必須ではないが、相対的に高い周波数帯の交流電流を印加することにより肌面に対する温熱効果を奏することもできる。
【００２３】
ＥＭＳと呼ばれる電気的筋肉刺激や、ＲＦ（ラジオ周波数）を用いた温感効果については周知であるから原理の説明は省略する。
また、上記の美容器の構成については自由に変更することができる。本体の形状はもちろん、電極部の態様、形状等も全く限定されるものではない。
【００２４】
従来の美容器では、ＥＭＳの刺激の程度を調整する際に、交流電流の周波数は一定のままで電圧を変化させることで実現していた。図３（ａ）は従来の交流電流の波形のイメージを示したものであり、振幅（電圧）を大きくすることで刺激が強くなる。
一方、図３（ｂ）に示すように、本発明は電圧は一定に保ったままで周波数を変化させることで刺激の強弱を調整することを提案するものである。
【００２５】
従来技術に関して述べたように、従来から周波数を変化させる技術は知られているが、その目的はＥＭＳとＲＦの切り換えのためである。すなわち、ＥＭＳでは数Ｈｚから数ｋＨｚの周波数帯の交流電流を印加し、ＲＦに切り換えるときには数百ｋＨｚ以上の周波数帯に変化させる。従って、美容効果のモードを切り換えるために低い周波数と高い周波数を２段階で変化させればよい。
【００２６】
モードの切り換えとは別に、強弱を調整するために例えば４０Ｖの電圧から８０Ｖまで電圧を可変する。肌の特性や感覚によって刺激の感じやすさが異なるため、使用者は肌面に当接させて電気刺激を試し、筋肉運動が不十分なときは電圧を上げる操作を行う。これによって体感レベルを変化させることができるが、電圧を上げると筋肉運動が活発になるだけでなく、ピリピリとした不快感を感じる問題があった。
【００２７】
そこで、本発明者は、強弱の調整に周波数の変化を用いることができることを見出し、さらに研究を重ねて調整に必要な周波数の領域を提供するものである。
まず周波数を低くすると筋肉運動は活発となり、体感の程度が強くなる。逆に周波数を高くすると徐々に筋肉運動が収まり、温感効果が高くなる特性がある。特に、複数の試験者による実験の結果、７０ｋＨｚないし３００ｋＨｚの間の高中周波の領域で電気刺激と温感の境界があることが分かった。
【００２８】
被験者による相違はあるが、７０ｋＨｚ近傍より下は温感は弱く、電気刺激のみになる。これより下げていくにつれて、体感の程度が大きくなる。３００ｋＨｚ近傍では電気刺激は弱く、温熱効果が高くなる。本発明において温熱効果を生じさせることは必須ではないが、温感を合わせて感じさせる範囲としては、下限値は１００ｋＨｚ程度、上限値は２００ｋＨｚ程度が好ましい。すなわち、本発明の周波数の変動範囲としては約１００ｋＨｚないし約２００ｋＨｚとしてもよい。
【００２９】
発明者の研究により見出された上記の特性によると、７０ｋＨｚないし３００ｋＨの領域において、体感を感じにくい人は周波数を下げ電気刺激を増やすと好ましく、体感を感じやすい人は周波数を上げて電気刺激を減らし、電圧を変更することなく体感を変えることでピリピリ感がなく、かつ強い体感を得ることができるようになる。
【００３０】
本発明において、電圧は４０Ｖないし８０Ｖの範囲が好ましい。発明者らの実験によると、８０Ｖ以上とした場合、使用者によって不快感が高まることが確認された。快適に適切な電気刺激を与える電圧は、４０Ｖないし８０Ｖの範囲、特に約６０Ｖが好ましい。
上記周波数の範囲は、この電圧範囲において特に効果を有する。
【００３１】
本発明にかかる美容器（１）の構成図を図４に示す。
美容器（１）には、電気回路やコンピュータで構成される制御基板（３０）と、制御基板（３０）と接続された電極部（３１）、感度調整部（３２）、電池（３３）などが配設される。制御基板には交流電流の周波数を３段階以上の多段階又は無段階で設定する周波数設定部（３４）、設定された周波数を出力する交流電流発生部（３５）を備える。
【００３２】
電極部（３１）は、２以上の電極を備えて電極間に交流電流を印加する。感度調整部（３２）は図１に示したレベルスイッチ（１２）のようなボタン式のほか、ダイヤル式のスイッチなどによって使用者の体感の程度を調整する。電池（３３）は充電池、乾電池の他、ソーラーパネルや外部電源に置き換えてもよい。
【００３３】
従来、制御基板を構成していたコンピュータのＣＰＵの能力の問題で、周波数を変化させることが技術的に難しかった。例えばクロック数が４ＭＨｚ程度のＣＰＵではソフトウェアによる交流電流は１ｋＨｚ程度が限界であり、周波数の切り換えのためには定数固定の発振回路を備えていた。
【００３４】
ところが近年、クロック数が３２ＭＨｚなどのＣＰＵであっても安価に使用することができるため、ソフトウェアだけで１００ｋＨｚ、１ＭＨｚといった高周波の交流電流を生成することができるようになった。
このような技術的な背景もあって、美容器のような小型機器において周波数を可変することは従来想起されることがなかったが、ＣＰＵの進歩に伴って、本発明も容易に実現できるようになっている。
【００３５】
従って、本発明では、ＣＰＵの周波数設定部（３４）が設定した交流周波数を、ソフトウェアで実現される交流電流発生部（３５）から交流電流として出力することができる。デジタル出力するため、図３（ｂ）に示すように本実施例では矩形波で出力している。
なお、本発明では交流電流の発生方法は限定されないので、周波数可変の発振回路を備えてもよい。波形も正弦波、疑似正弦波でもよい。
【００３６】
具体的な制御方法を説明する。
使用者は調整手段である感度調整部（３２）の操作によって所望の電気刺激の強さを設定する。例えば電源のオンの時点では最も低いレベルに設定される。このとき、周波数設定部（３４）は周波数を３００ｋＨｚと設定し、交流電流発生部（３５）で３００ｋＨｚの交流電流を生成する。
【００３７】
体感が弱いときには感度調整部（３２）を操作して強くすると、周波数設定部が周波数を順次低く設定する。例えば、３段階の場合は７０ｋＨｚ、１５０ｋＨｚ、３００ｋＨｚの３つの周波数、８段階の場合は７０ｋＨｚ、９０ｋＨｚ、１２０ｋＨｚ、１５０ｋＨｚ、１８０ｋＨｚ、２２０ｋＨｚ、２６０ｋＨｚ、３００ｋＨｚの各周波数などのように段階的に設定することもできる。
【００３８】
可変範囲の下限値を１００ｋＨｚ、上限値を２００ｋＨｚとする場合には、３段階の場合は１００ｋＨｚ、１５０ｋＨｚ、２００ｋＨｚの３つの周波数、８段階の場合は１００ｋＨｚ、１１０ｋＨｚ、１２０ｋＨｚ、１３０ｋＨｚ、１４０ｋＨｚ、１６０ｋＨｚ、１８０ｋＨｚ、２００ｋＨｚの各周波数などのように段階的に設定することもできる。
【００３９】
さらに体感を強くするために数Ｈｚから数ｋＨｚの周波数帯にも変化できるようにしてもよい。
また、本実施例の美容器（１）ではＲＦの温熱効果だけを提供するため、さらに高い周波数帯に変化させてもよい。
【００４０】
本発明では、使用者が感度調整部（３２）で操作する他に、周波数の設定を自動化することもできる。使用者の体感に影響する原因として肌面の抵抗値があり、図４に示すように制御基板（３０）に抵抗値測定部（３６）を備え、電極部（３１）の間で通電することにより肌の抵抗値を測定する。なお、抵抗測定用の別の電極を備えてもよい。
【００４１】
抵抗測定値に応じて、周波数設定部（３４）は肌の特性に応じた周波数を設定する。例えば次の表１のように設定する。
【００４２】
【表１】
2020156558.tif 000003
【００４３】
上記の表において抵抗値が比較的低い場合には電流が流れやすいため体感の程度が強くなるので周波数を高く設定する。また、抵抗値が比較的高い場合は、電流が流れにくく体感の程度が弱くなるので周波数を低く設定する。
肌の抵抗値は同じ人でも湿度や肌の湿り具合によって変化するため、レベルスイッチで同じように調整しても、その時により体感の程度が変化する。そこで、抵抗値測定部（３４）が測定した結果に基づいて自動的に調整することで、毎回同じような感覚で使用することができる。
【００４４】
また、図５の構成では感度調整部（３２）を省略しているが、感度調整部（３２）は備えて、弱、中、強などの切り換えも行ってもよい。この場合、感度調整部（３２）次の表２のように、抵抗値と使用者の設定を組み合わせて周波数を設定することもできる。
【００４５】
【表２】
2020156558.tif 000004
【００４６】
このように抵抗値測定部（３６）の測定値に応じて周波数設定部（３４）が最適な周波数を設定することで、使用者は簡便に使用することができる。
上記の表の数値は一例であり、周波数の値や、切り換えの段階などは任意に変更できる。また、周波数を設定する規則は表に基づくものではなく、所定の計算式によって計算した結果でもよい。
【００４７】
本発明の美容器（１）にはさらにヒーター（図示せず）を備えることもできる。
ヒーターの例としては遠赤外線を発生するセラミックペルチェヒーターなどが挙げられ、肌の深部を加温することができる。
【００４８】
本発明の周波数帯域である７０ｋＨｚないし３００ｋＨｚのうち、使用者が温感を感じやすい２００ないし３００ｋＨｚ近傍の周波数では肌表面の表皮付近が加温される。これに加えてヒーターを用いると深部である真皮が加温することによって、低刺激でかつ効果的に肌に作用させることができる。
【００４９】
また、低周波数側の領域では、電気刺激を感じやすい反面で温感を感じにくい場合があり、ヒーターを併用することによって使用者の好みの温感を調整することができ、本発明に係る周波数の調整技術と合わせて特に有効である。
【００５０】
本発明は、上記美容器のほか、使用者の肌面に対して交流電流を印加する美容器の制御方法を提供することもできる。
すなわち、電圧又は電流を略一定に保ちながら交流電流の周波数を３段階以上の多段階又は無段階で設定し、設定された周波数の交流電流を電極部から印加することにより使用者の体感の程度を調整する。
【００５１】
具体的な方法としては上記した美容器（１）に例示されており、特に制御基板（３０）、電極部（３１）、感度調整部（３２）の組み合わせによって実施されることが明らかであるが、これに限定されない。本制御方法を実装する機器は携帯型の美容器に限らず、据え置き型の装置でもよい。
【符号の説明】
【００５２】
１    美容器
１０  本体部
１１  ヘッド部
１２  レベルスイッチ
１３  電源スイッチ
１４  インジケータ
２０  電極部
２１  電極部
３０  制御基板
３１  電極部
３２  感度調整部
３３  電池
３４  周波数設定部
３５  交流電流発生部
３６  抵抗値測定部
【図１】
2020156558.tif 000005
【図２】
2020156558.tif 000006
【図３】
2020156558.tif 000007
【図４】
2020156558.tif 000008
【図５】
2020156558.tif 000009